(57)【要約】【課題】本発明は、従来にない作用効果を発揮する画期的な排水溝の改修方法を提供することを目的とする。【解決手段】排水溝ブロック１を敷設して形成される排水溝の改修方法であって、改修対象となる前記排水溝ブロック１のブロック上部１Ａに生じた欠損箇所Ｄを、コンクリートやモルタルなどの修繕用部材３で修繕し、その後、前記修繕箇所を含む上部を当該上部の表面形状と同形状の被覆板体２で被覆する排水溝の改修方法である。【選択図】図１
2011153514.tif 000002
【特許請求の範囲】
【請求項１】
排水溝ブロックを敷設して形成される排水溝の改修方法であって、改修対象となる前記排水溝ブロックのブロック上部に生じた欠損箇所を、コンクリートやモルタルなどの修繕用部材で修繕し、その後、前記修繕箇所を含む上部を当該上部の表面形状と同形状の被覆板体で被覆することを特徴とする排水溝の改修方法。
【請求項２】
請求項１記載の排水溝の改修方法において、前記排水溝ブロックとして、底壁の左右に側壁が立設され、この夫々の側壁の内面上部には蓋体を載置する蓋体載置段部が設けられた断面Ｕ字状の排水溝ブロックを採用し、前記被覆板体は、前記側壁の上部外面，頂面，前記蓋体載置段部までの内面，前記蓋体載置段部及び前記蓋体載置段部から下方所定位置までの内面を被覆する形状であることを特徴とする排水溝の改修方法。
【請求項３】
請求項１記載の排水溝の改修方法において、前記排水溝ブロックとして、開口窓を有する天壁の左右に側壁が垂設され、前記開口窓の夫々の内面には蓋体を載置する蓋体載置段部が設けられた断面逆Ｕ字状の排水溝ブロックを採用し、前記被覆板体は、前記天壁の上部外面，頂面，前記開口窓の蓋体載置段部までの内面，前記蓋体載置段部及び前記開口窓の蓋体載置段部から下方所定位置までの内面を被覆する形状であることを特徴とする排水溝の改修方法。
【請求項４】
請求項２，３いずれか１項に記載の排水溝の改修方法において、前記被覆板体にして前記蓋体載置段部を被覆する部分には、前記蓋体のガタつきを防止する緩衝部材が設けられていることを特徴とする排水溝の改修方法。
【請求項５】
請求項１記載の排水溝の改修方法において、前記排水溝ブロックとして、底壁の左右に側壁が立設された断面Ｕ字状の排水溝ブロックを採用し、前記被覆板体は、前記側壁の上部外面，頂面及び上部内面を被覆する形状であることを特徴とする排水溝の改修方法。
【請求項６】
請求項１〜５いずれか１項に記載の排水溝の改修方法において、前記排水溝ブロックに所定深さの溝を形成した後、前記被覆板体をこの溝に一部嵌入して被覆することを特徴とする排水溝の改修方法。
【請求項７】
請求項１〜６いずれか１項に記載の排水溝の改修方法において、前記排水溝ブロックが敷設される敷設部位の端部に所定深さの溝を形成した後、前記被覆板体をこの溝に一部嵌入して被覆することを特徴とする排水溝の改修方法。
【請求項８】
請求項１〜７いずれか１項に記載の排水溝の改修方法において、前記被覆板体は前記排水溝ブロックの長さと同じ長さであることを特徴とする排水溝の改修方法。
【請求項９】
請求項１〜８いずれか１項に記載の排水溝の改修方法において、前記被覆板体は接着剤を介して配設することを特徴とする排水溝の改修方法。
【請求項１０】
請求項１〜９いずれか１項に記載の排水溝の改修方法において、前記被覆板体は金属板を折曲して形成されるものであることを特徴とする排水溝の改修方法。
【発明の詳細な説明】
【技術分野】
【０００１】
本発明は、例えば道路脇に設けられたり道路を横断する状態で設けられる排水溝の改修方法に関するものである。
【背景技術】
【０００２】
例えば道路脇に設けられたり道路を横断する状態で設けられる排水溝ブロック（この排水溝ブロックが連設されて排水溝が形成される。）は、経年変化によっては勿論、人や車両が上部を通過する際に受ける振動などの原因から欠損が生じる。
【０００３】
具体的には、この排水溝ブロックとしては、底壁の左右に側壁が立設され、夫々の側壁の内面上部には蓋体を載置する蓋体載置段部が設けられ、側壁上部間にして蓋体載置段部間に蓋体を設けて使用する断面Ｕ字状のものや、開口窓を有する天壁の左右に側壁が垂設され、開口窓の夫々の内面には蓋体を載置する蓋体載置段部が設けられ、蓋体載置段部上にして開口窓に蓋体が設けられて使用する断面逆Ｕ字状のものがあり、例えば物が当たったりして側壁の頂面左右角縁が欠けたり削れたりし、また、人や車両が上部を通過した際に蓋体がバタつくことで蓋体載置段部が欠けたり削れたりしてしまう。
【０００４】
そこで、この排水溝ブロックに生じた欠損箇所の改修方法として、例えば特開２００６−２９０１５号に開示されるような切断装置を利用して排水溝ブロックの左右の側壁を所定部位（蓋体載置段部よりも下方位置）で切断し、この切断して除去した部分に、予め工場で成形されたコンクリート成形品を配設したり、或いは、型枠を配設してコンクリートを打設して現場で成形したりするなど、側壁の上側のみを新品に取り換える（或いは成形し直す）改修する方法が提案されている。
【０００５】
この改修方法は、それ以前に行われていた排水溝ブロックを全て取り替える方法に比べれば、廃材の排出量が低減されてコスト面及び環境面に秀れている。
【先行技術文献】
【特許文献】
【０００６】
【特許文献１】特開２００６−２９０１５号公報
【発明の概要】
【発明が解決しようとする課題】
【０００７】
本出願人は、前述した排水溝の改修方法について更なる研究開発を進め、その結果、極めて画期的な排水溝の改修方法を開発した。
【課題を解決するための手段】
【０００８】
添付図面を参照して本発明の要旨を説明する。
【０００９】
排水溝ブロック１を敷設して形成される排水溝の改修方法であって、改修対象となる前記排水溝ブロック１のブロック上部１Ａに生じた欠損箇所Ｄを、コンクリートやモルタルなどの修繕用部材３で修繕し、その後、前記修繕箇所を含む上部を当該上部の表面形状と同形状の被覆板体２で被覆することを特徴とする排水溝の改修方法に係るものである。
【００１０】
また、請求項１記載の排水溝の改修方法において、前記排水溝ブロック１として、底壁１ｂの左右に側壁１ａが立設され、この夫々の側壁１ａの内面上部には蓋体４を載置する蓋体載置段部１ｃが設けられた断面Ｕ字状の排水溝ブロック１を採用し、前記被覆板体２は、前記側壁１ａの上部外面，頂面，前記蓋体載置段部１ｃまでの内面，前記蓋体載置段部１ｃ及び前記蓋体載置段部１ｃから下方所定位置までの内面を被覆する形状であることを特徴とする排水溝の改修方法に係るものである。
【００１１】
また、請求項１記載の排水溝の改修方法において、前記排水溝ブロック１として、開口窓１ｅを有する天壁１ｄの左右に側壁１ａが垂設され、前記開口窓１ｅの夫々の内面には蓋体４を載置する蓋体載置段部１ｃが設けられた断面逆Ｕ字状の排水溝ブロック１を採用し、前記被覆板体２は、前記天壁１ｄの上部外面，頂面，前記開口窓１ｅの蓋体載置段部１ｃまでの内面，前記蓋体載置段部１ｃ及び前記開口窓１ｅの蓋体載置段部１ｃから下方所定位置までの内面を被覆する形状であることを特徴とする排水溝の改修方法に係るものである。
【００１２】
また、請求項２，３いずれか１項に記載の排水溝の改修方法において、前記被覆板体２にして前記蓋体載置段部１ｃを被覆する部分には、前記蓋体４のガタつきを防止する緩衝部材17が設けられていることを特徴とする排水溝の改修方法に係るものである。
【００１３】
また、請求項１記載の排水溝の改修方法において、前記排水溝ブロック１として、底壁１ｂの左右に側壁１ａが立設された断面Ｕ字状の排水溝ブロック１を採用し、前記被覆板体２は、前記側壁１ａの上部外面，頂面及び上部内面を被覆する形状であることを特徴とする排水溝の改修方法に係るものである。
【００１４】
また、請求項１〜５いずれか１項に記載の排水溝の改修方法において、前記排水溝ブロック１に所定深さの溝１ａ’を形成した後、前記被覆板体２をこの溝１ａ’に一部嵌入して被覆することを特徴とする排水溝の改修方法に係るものである。
【００１５】
また、請求項１〜６いずれか１項に記載の排水溝の改修方法において、前記排水溝ブロック１が敷設される敷設部位20の端部に所定深さの溝20ａを形成した後、前記被覆板体２をこの溝20ａに一部嵌入して被覆することを特徴とする排水溝の改修方法に係るものである。
【００１６】
また、請求項１〜７いずれか１項に記載の排水溝の改修方法において、前記被覆板体２は前記排水溝ブロック１の長さＬと同じ長さであることを特徴とする排水溝の改修方法に係るものである。
【００１７】
また、請求項１〜８いずれか１項に記載の排水溝の改修方法において、前記被覆板体２は接着剤を介して配設することを特徴とする排水溝の改修方法に係るものである。
【００１８】
また、請求項１〜９いずれか１項に記載の排水溝の改修方法において、前記被覆板体２は金属板を折曲して形成されるものであることを特徴とする排水溝の改修方法に係るものである。
【発明の効果】
【００１９】
本発明は上述のように構成したから、従来から提案される改修方法に比し、簡易且つ迅速に排水溝を改修でき、より一層コスト面及び環境面に秀れるなど従来にない作用効果を発揮する画期的な排水溝の改修方法となる。
【図面の簡単な説明】
【００２０】
【図１】実施例１に係る被覆板体２を示す斜視図である。
【図２】実施例１に係る排水溝の説明図である。
【図３】実施例１に係る排水溝の改修方法の説明図である。
【図４】実施例１に係る排水溝の改修方法の説明図である。
【図５】実施例１に係る排水溝の改修方法の説明図である。
【図６】実施例１に係る被覆板体２を示す斜視図である。
【図７】実施例１に係る排水溝の改修方法で改修した箇所の部分拡大説明断面図である。
【図８】排水溝の改修の際に使用する切断装置の説明斜視図である。
【図９】実施例２に係る排水溝の改修方法の説明図である。
【図１０】実施例２に係る排水溝の改修方法の説明図である。
【図１１】実施例３に係る被覆板体２を示す斜視図である。
【図１２】実施例３に係る排水溝の説明図である。
【図１３】実施例３に係る排水溝の改修方法の説明図である。
【図１４】実施例３に係る排水溝の改修方法の説明図である。
【図１５】実施例３に係る排水溝の改修方法の説明図である。
【発明を実施するための形態】
【００２１】
好適と考える本発明の実施形態を、図面に基づいて本発明の作用を示して簡単に説明する。
【００２２】
改修対象となる排水溝ブロック１のブロック上部１Ａに生じた欠損箇所Ｄを、コンクリートやモルタルなどの修繕用部材３で修繕し、その後、前記修繕箇所を含む上部を当該上部の表面形状と同形状の被覆板体２で被覆する。この被覆板体２は該ブロック上部１Ａの保護機能を発揮し、しかも、既存の排水溝の体裁を良好にする機能も発揮する。
【００２３】
また、従来から行われている改修方法のように、排水溝ブロック１のブロック上部１Ａを切除するような作業は必要なく、単にコンクリートやモルタルなどの修繕用部材３で欠損箇所Ｄを修繕した修繕箇所を含む部位に被覆板体２で被覆するだけであり、簡易且つ迅速に排水溝の改修が行われることになる。
【００２４】
また、本発明は、排水溝ブロック１のブロック上部１Ａを切除してコンクリート成形品を配設したり、或いは、型枠を配設してコンクリートを打設したりする場合に必要となる強度計算や、この強度計算に基づく施工が不要であり、排水溝ブロック１が持つ強度をそのまま利用して改修が行われることになり、しかも、欠損箇所Ｄの修繕作業の後に被覆板体２で被覆することになるから、被覆板体２の表面に修繕用部材３が付着してしまうようなことがなく仕上がり状態が良好となる。
【００２５】
この被覆板体２はブロック上部１Ａの表面形状と同形状の為、蓋体４の載置に支障を来さない。
【００２６】
また、排水溝ブロック１として、底壁１ｂの左右に側壁１ａが立設され、この夫々の側壁１ａの内面上部には蓋体４を載置する蓋体載置段部１ｃが設けられた断面Ｕ字状の排水溝ブロック１を採用し、被覆板体２は、側壁１ａの上部外面，頂面，蓋体載置段部１ｃまでの内面，前記蓋体載置段部１ｃ及び前記蓋体載置段部１ｃから下方所定位置までの内面を被覆する形状である場合には、被覆板体２は排水溝ブロック１に係る側壁１ａに対して掛け止め状態となり、単にブロック上部１Ａの上面に載置されるだけの場合に比し、被覆板体２はそれだけ堅固に被覆されることになる。
【００２７】
また、排水溝ブロック１が敷設される敷設部位20の端部に所定深さの溝20ａを形成した後、被覆板体２をこの溝20ａに一部嵌入して被覆する場合には、被覆板体２での被覆作業が極めて簡易且つ良好に行えることになる。具体的には、この溝20ａにより排水溝ブロック１の側壁１ａの上部外面を被覆する部分を良好に配設し得ることになる。
【実施例１】
【００２８】
本発明の具体的な実施例１について図１〜８に基づいて説明する。
【００２９】
本実施例は、排水溝ブロック１を敷設して形成される排水溝の改修方法であって、改修対象となる排水溝ブロック１のブロック上部１Ａに生じた欠損箇所Ｄを、コンクリートやモルタルなどの修繕用部材３で修繕し、その後、修繕箇所を含む上部を該上部の表面形状と同形状の被覆板体２で被覆する排水溝の改修方法である。
【００３０】
本実施例に係る排水ブロック１としては、図２に図示したように所定長を有する底壁１ｂの左右に側壁１ａが立設され、この側壁１ａの内面上部には蓋体４を載置する蓋体載置段部１ｃが設けられた断面Ｕ字状の排水溝ブロック１（所謂Ｕ字溝ブロック）が採用されており、この側壁１ａ上部間にして蓋体載置段部１ｃ間に蓋体４を設けて使用する。排水溝ブロック１のブロック上部１Ａとは、側壁１ａ夫々の上端部であり、蓋体載置段部１ｃよりも下方位置までを指す。
【００３１】
また、本実施例に係る被覆板体２は、図１に図示したように適宜な金属製の長尺の薄板材を折曲して形成されており、長さと幅は排水溝ブロック１の長さと幅と同一の長さＬに設定され、ブロック上部１Ａに被嵌した際、ブロック上部１Ａ全部を被覆し得るように構成されている。尚、被覆板体２は型による成形品でも良い。
【００３２】
被覆板体２は、排水溝ブロック１の側壁１ａの頂面を被覆する上側被覆部２ａ、敷設部位20に形成する溝20ａに挿入され側壁１ａの上部外面を被覆する外側被覆部２ｂ、側壁１ａの上部内面を被覆する内側被覆部２ｃ（蓋体載置段部１ｃまでの側壁１ａの内面を被覆する第一被覆部２ｃ’、側壁１ａの蓋体載置段部１ｃを被覆する第二被覆部２ｃ''及び側壁１ａの蓋体載置段部１ｃから下方所定位置までの内面を被覆する第三被覆部２ｃ'''）で構成されている。
【００３３】
また、外側被覆部２ｂの前後位置には孔２ｂ’が形成されており、この孔２ｂ’は、堅固な固定状態が要求される場面において、側壁１ａの上部外面とボルト止めや杭止めなどする際に使用する。
【００３４】
外側被覆部２ｂは上側基板部２ａの全縁に設けなくても良く、断続的に設けるようにしても良い。また、敷設部位20に形成する溝20ａを排水溝ブロック１に係る側壁１ａの上部外面から離れた位置に設けた場合には、この溝20ａに外側被覆部２ｂを挿入するようにすれば良い（つまり、必ずしも外側被覆部２ｂは側壁１ａの上部外面に当接する必要はない。）。
【００３５】
図６，７は、被覆板体２の第二被覆部２ｃ''の上面に緩衝部材17が設けられた場合である。
【００３６】
具体的には、この緩衝部材17は、適度な可撓性を有する合成樹脂製の部材（ゴム部材）で形成した帯板状体であり、断面山形状の凸条部17ａが複数並設されて所定巾を有するとともに、第二被覆部２ｃ''の長さ方向の長さと同じ長さを有する。
【００３７】
また、緩衝部材17は両面テープを介して第二被覆部２ｃ''の上面に設けられる。
【００３８】
従って、この緩衝部材17により、蓋体４を載置した際に蓋体４の破損や騒音の原因となるガタつきを防止することができ、しかも、成形表面に凹凸の生じ易いコンクリート製の蓋体４の成形精度を保証することができる。
【００３９】
尚、緩衝部材17はゴムに限らずスポンジでも良いなど本実施例の特性を発揮するものであれば適宜採用し得るものである。
【００４０】
図８は本実施例の排水溝の改修作業において、排水溝ブロック１が敷設される敷設部位20の端部（側壁１ａの上部外面との近傍部位）に溝20ａを形成するための切断装置５である。尚、この溝20ａは、被覆板体２で被覆する際に該被覆板体２の一部（外側被覆部２ｂ）嵌入する部位である。
【００４１】
具体的には、この切断装置５は、走行部５Ａと、この走行部５Ａに設けられる切断部５Ｂとで構成されている。
【００４２】
走行部５Ａは、板状の基体６の下面前後位置に車輪７を設けるとともに、基体６の上面略中央部にＬ字杆から成る走行操作ハンドル８を設けたものである。
【００４３】
従って、走行部５Ａは、走行操作ハンドル８を握持して手動にて走行させることができ、排水溝ブロック１に係る側壁１ａの頂面若しくは敷設部位20の上面を車輪７で走行することになる。尚、必要に応じて動力を設けて自動走行するように構成しても良い。
【００４４】
また、走行部５Ａに係る基体６には、後述する切断部５Ｂを装着する装着部９が設けられている。
【００４５】
この装着部９は、基体６に設けられるガイド部９Ａと、このガイド部９Ａに対してスライドするスライド部９Ｂとで構成されている。
【００４６】
ガイド部９Ａは、基体６の上面前方左右位置に突設される基部９ａ同士間に一対のガイド棒９ｂを架設して構成され、一方、スライド部９Ｂは、ガイド部９Ａのガイド棒９ｂをスライドするスライド体９ｃの上部に切断部５Ｂに連結する連結体９ｄを設けて構成されている。
【００４７】
従って、切断部５Ｂは、スライド部９Ｂをガイド部９Ａに対してスライドさせることで、走行部５Ａ（基体６）に対する左右方向の位置を調整し得ることになる。即ち、切断刃13の走行部５Ａの側方からの突出量を可変し得ることになる。
【００４８】
尚、ガイド部９Ａとスライド部９Ｂとの間には該スライド部９Ｂのスライド位置を固定する図示省略の固定手段が設けられている。
【００４９】
また、走行部５Ａは、基体６の一側面部に補助走行部５Ｃが着脱自在に設けられている。
【００５０】
この補助走行部５Ｃは、図８に図示したように基体６の一側面部に着脱自在に設けられる板状の連結体10の前後位置に車輪11を設けたものであり、走行部５Ａで走行する際、補助走行部５Ｃの車輪11が排水溝ブロック１に係る側壁１ａの内面を走行することで安定した走行が達成されるように構成されている。
【００５１】
尚、補助走行部５Ｃを走行部５Ａに対して左右方向にスライド自在に設けても良い。
【００５２】
切断部５Ｂは、図８に図示したように適宜な駆動源（図示省略の電動モーター）を内装した本体12の先端部（側面）に円形の切断刃13を設けたカッター装置である。
【００５３】
本実施例では、この切断部５Ｂを走行部５Ａに装着した際、切断刃13が走行部５Ａに係る基体６の一側に鉛直状態で配され、走行部５Ａの側方へは切断刃13以外の突出物が可及的に生じないように設けられている。これは、排水溝の脇にブロック塀21が立設しているような狭い箇所でも障害になるものがなく切断作業を良好に行えるようにするための構成である。
【００５４】
また、本実施例では、修繕用部材３として硬化性部材であるモルタルが採用される。尚、修繕用部材３としてはコンクリートでも良いなど、本実施例の特性を発揮するものであれば適宜採用し得るものである。
【００５５】
以上の構成から成る被覆板体２と切断装置５を使用した排水溝の改修方法（図２に図示したような欠損箇所Ｄが生じた排水溝ブロック１に係るブロック上部１Ａの改修方法）について説明する。尚、本実施例は、一対の被覆板体２を用いて左右の側壁１ａの双方に改修を行った場合であるが、場合によっては、一つの被覆板体２により片側の側壁１ａを改修するようにしても良い。
【００５６】
先ず、図３に図示したように改修対象となる排水溝ブロック１から蓋体４を外して、切断装置５で溝20ａを形成する。具体的には、切断装置５に係る走行部５Ａを側壁１ａの頂面を走行させ、この状態で切断部５Ｂの切断刃13を回転させ、排水溝ブロック１が敷設される敷設部位20にして側壁１ａの上部外面の近傍部位（舗装部位）に所定深さ（約２ｃｍ）の溝20ａを形成する。この溝20ａは側壁１ａの外側面に沿って形成される。
【００５７】
また、この走行部５Ａが側壁１ａを走行する際、補助走行部５Ｃに係る車輪11も側壁１ａの内面に当接して走行しており、よって、安定した走行が得られる。
【００５８】
続いて、図４に図示したように欠損箇所Ｄを修繕用部材３で修繕する。蓋体載置段部１ｃを修繕する際には、ジャッキ装置14（回動螺子棒14Ａの回動により左右に突没移動する左右のリンク部材14Ｂ）に設けられた型枠14ａ，14ｂを用いて行う。尚、欠損箇所Ｄを修繕した後に切断装置５で溝20ａを形成するようにしても良い。
【００５９】
続いて、図５に図示したように修繕済みの側壁１ａに接着剤15を介して被覆板体２で被覆する。この際、被覆板体２の上側被覆部２ａは側壁１ａの頂面を被覆し、外側被覆部２ｂは溝20ａに挿入されて側壁１ａの上部外面を被覆し、内側被覆部２ｃに係る第一被覆部２ｃ’側壁１ａの蓋体載置段部１ｃまでの内面、第二被覆部２ｃ''は側壁１ａの蓋体載置段部１ｃ、第三被覆部２ｃ'''は側壁１ａの蓋体載置段部１ｃから下方所定位置までの内面を被覆する（被覆板体２を構成する各部位を軽く叩くなどして側壁１ａの形状に合致させる。）。その後、アスファルト等の特殊合材を外側被覆部２ｂと溝20ａとの隙間を埋めたり敷設部位20との段差を無くすように打設するなど仕上げ処理を行い、新しい蓋体４を蓋体載置段部１ｃ（被覆板体２に係る第二被覆部２ｃ''の上面）に載置して作業は終了となる。
【００６０】
本実施例は上述のように構成したから、従来から行われている改修方法のように、排水溝ブロック１のブロック上部１Ａを切除するような作業は必要なく、単にコンクリートやモルタルなどの修繕用部材３で欠損箇所Ｄを修繕したブロック上部１Ａに被覆板体２で被覆するだけであり、簡易且つ迅速に排水溝の改修が行われ、しかも、コスト安である。
【００６１】
また、本実施例は、排水溝ブロック１のブロック上部１Ａを切除してコンクリート成形品を配設したり、或いは、型枠を配設してコンクリートを打設したりする場合に必要となる強度計算や、この強度計算に基づく施工が不要であり、排水溝ブロック１が持つ強度をそのまま利用して改修が行われることになり、しかも、欠損箇所Ｄの修繕作業の後に被覆板体２で被覆することになるから、修繕用部材３が被覆板体２の表面に付着してしまうようなことがなく仕上がり状態が良好となる。
【００６２】
また、本実施例は、排水溝ブロック１のブロック上部１Ａを切除したりしないから産業廃棄物の排出を抑制することができ、しかも、建設機械をほとんど使用しない為、二酸化炭素の排出量も抑制し得ることになるなど、環境にやさしい工法となる。
【００６３】
また、本実施例は、被覆板体２がブロック上部１Ａの表面形状と同形状の為、蓋体４の載置に支障を来さず、また、排水溝ブロック１が敷設される敷設部位20と干渉したりしない。
【００６４】
また、本実施例は、排水溝ブロック１として、底壁１ｂの左右に側壁１ａが立設され、この夫々の側壁１ａの上部内面には蓋体４を載置する蓋体載置段部１ｃが設けられた断面Ｕ字状の排水溝ブロック１を採用し、被覆板体２は、側壁１ａの上部外面，頂面，蓋体載置段部１ｃまでの内面，前記蓋体載置段部１ｃ及び前記蓋体載置段部１ｃから下方所定位置までの内面を被覆する形状であるから、被覆板体２は排水溝ブロック１に係る側壁１ａに対して掛け止め状態となり、単にブロック上部１Ａの上面に載置されるだけの場合に比し、被覆板体２はそれだけ堅固に被覆されることになる。
【００６５】
また、本実施例は、排水溝ブロック１が敷設される敷設部位20の端部に所定深さの溝20ａを形成した後、被覆板体２をこの溝20ａに一部嵌入して被覆するから、被覆板体２での被覆作業が極めて簡易且つ良好に行えることになる。具体的には、この溝20ａにより排水溝ブロック１の側壁１ａの上部外面を被覆する外側被覆部２ｂを良好に配設し得ることになる。
【００６６】
また、本実施例は、被覆板体２は金属板を折曲形成して構成されているから、簡易構造故にコスト安にして量産性に秀れることになる。
【００６７】
また、本実施例は、既存の排水溝の流れを止めることなく施工することができる。
【００６８】
尚、本実施例は、排水溝ブロック１として前述したように側壁１ａの上部内面に蓋体載置段部１ｃを設けたタイプを採用しているが、この蓋体載置段部１ｃが無い断面Ｕ字状タイプの排水溝ブロック１においても前述した被覆板体２の作用効果は奏されるものである。
【実施例２】
【００６９】
本発明の具体的な実施例２について図９〜10に基づいて説明する。
【００７０】
本実施例は、排水溝を形成する排水溝ブロック１として、現場でコンクリートを打設して形成される排水溝ブロック１（所謂現場打ちブロック）が採用されている。
【００７１】
具体的には、この排水溝ブロック１は、敷設部位20に形成される凹溝の底に形成される底部材１ｆの左右に側壁１ａが立設され、この側壁１ａの内面上部には蓋体４を載置する蓋体載置段部１ｃが設けられた断面Ｕ字状の排水溝ブロック１（所謂Ｕ字溝）が採用されており、この側壁１ａ上部間にして蓋体載置段部１ｃ間に蓋体４を設けて使用する。排水溝ブロック１のブロック上部１Ａとは、側壁１ａ夫々の上端部であり、蓋体載置段部１ｃよりも下方位置までを指す。
【００７２】
また、このタイプの排水溝ブロック１は、前述した実施例１のような成形品（プレキャストコンクリートブロック）に比して側壁１ａにおける頂面の巾が広い場合が多く、この場合、頂面（ブロック自体）に溝１ａ’を形成し該溝１ａ’に被覆板体２の外側被覆部２ｂが挿入される。
【００７３】
これは、被覆板体２のサイズは統一されていた方が製造が簡易でコスト安であり、しかも、幅の広い側壁１ａにおける頂面の全てを被覆するようにした場合、それだけ金属面（滑り易い面）の面積が広くなってしまうが、本実施例の構造であればこれを確実に防止することができる。
【００７４】
また、現場打ちの排水溝ブロック１は、側壁１ａの頂面の巾は一定でなく、この点においても頂面に被覆板体２の外側被覆部２ｂを挿入する溝１ａ’を形成することは有用である。
【００７５】
以上の構成から成る被覆板体２と切断装置５を使用した排水溝の改修方法（欠損箇所Ｄが生じた排水溝ブロック１に係るブロック上部１Ａの改修方法）について説明する。尚、本実施例は、一対の被覆板体２を用いて左右の側壁１ａの双方に改修を行った場合であるが、場合によっては、一つの被覆板体２により片側の側壁１ａを改修するようにしても良い。
【００７６】
先ず、改修対象となる排水溝ブロック１から蓋体４を外して、切断装置５で溝１ａ’を形成する。具体的には、切断装置５に係る走行部５Ａを側壁１ａの頂面を走行させ、この状態で切断部５Ｂの切断刃13を回転させ、排水溝ブロック１の側壁１ａの頂面に所定深さ（約２ｃｍ）の溝１ａを形成する。この溝１ａは側壁１ａの長さ方向全域に形成される。
【００７７】
また、この走行部５Ａが側壁１ａを走行する際、補助走行部５Ｃに係る車輪11も側壁１ａの内面に当接して走行しており、よって、安定した走行が得られる。
【００７８】
続いて、図９に図示したように欠損箇所Ｄを修繕用部材３で修繕する。蓋体載置段部１ｃを修繕する際には、ジャッキ装置14（回動螺子棒14Ａの回動により左右に突没移動する左右のリンク部材14Ｂ）に設けられた型枠14ａ，14ｂを用いて行う。尚、欠損箇所Ｄを修繕した後に切断装置５で溝１ａを形成するようにしても良い。
【００７９】
続いて、図10に図示したように修繕済みの側壁１ａに接着剤15を介して被覆板体２で被覆する。この際、被覆板体２の上側被覆部２ａは側壁１ａの頂面を被覆し、外側被覆部２ｂは溝１ａ’に挿入され、内側被覆部２ｃに係る第一被覆部２ｃ’は側壁１ａの蓋体載置段部１ｃまでの内面、第二被覆部２ｃ''は側壁１ａの蓋体載置段部１ｃ、第三被覆部２ｃ'''は側壁１ａの蓋体載置段部１ｃから下方所定位置までの内面を被覆する（被覆板体２を構成する各部位を軽く叩くなどして側壁１ａの形状に合致させる。）。その後、コンクリート等を外側被覆部２ｂと溝１ａ’との隙間を埋めたり頂面との段差を無くすように打設するなど仕上げ処理を行い、新しい蓋体４を蓋体載置段部１ｃ（被覆板体２に係る第二被覆部２ｃ''の上面）に載置して作業は終了となる。
【００８０】
尚、図示していないが被覆板体２に係る第二被覆部２ｃ''の上面には緩衝部材17が適宜設けられる。
【００８１】
その余は実施例１と同様である。
【実施例３】
【００８２】
本発明の具体的な実施例３について図11〜15に基づいて説明する。
【００８３】
本実施例に係る排水溝ブロック１としては、図12に図示したように開口窓１ｅを有する所定の天壁１ｄの左右に側壁１ａが垂設され、開口窓１ｅの内面上部には蓋体４を載置する蓋体載置段部１ｃが設けられた断面逆Ｕ字状の排水溝ブロック１が採用されており、この蓋体載置段部１ｃに蓋体４が載置されて開口窓１ｅが閉塞される構成である。この排水溝ブロック１のブロック上部１Ａとは、天壁１ｄであり、蓋体載置段部１ｃよりも下方位置にして側壁１ａ夫々との境界位置までを指す。符号１ｆは敷設部位20に形成される凹溝の底に形成される底部材であり、この底部材１ｆ上に排水溝ブロック１が載置される。
【００８４】
また、本実施例に係る被覆板体２は、図11に図示したように適宜な金属製の長尺の薄板材を折曲して形成されており、長さと幅は排水溝ブロック１の長さと幅と同一の長さＬに設定され、ブロック上部１Ａに被嵌した際、ブロック上部１Ａ全部を被覆し得るように構成されている。尚、被覆板体２は型による成形品でも良い。
【００８５】
被覆板体２は、排水溝ブロック１の天壁１ｄの頂面を被覆する上側被覆部２ａ、敷設部位20に形成する溝20ａに挿入され天壁１ｄの上部外面を被覆する外側被覆部２ｂを有する構成である。
【００８６】
また、外側被覆部２ｂ夫々の前後位置には孔２ｂ’が形成されており、この孔２ｂ’は、堅固な固定状態が要求される場面において、天壁１ｄの上部外面とボルト止めや杭止めする際に使用する。
【００８７】
外側被覆部２ｂは基板部２ａの全縁に設けなくても良く、断続的に設けるようにしても良い。また、敷設部位20に形成する溝20ａを排水溝ブロック１に係る側壁１ａの上部外面から離れた位置に設けた場合には、この溝20ａに外側被覆部２ｂを挿入するようにすれば良い（つまり、必ずしも外側被覆部２ｂは側壁１ａの上部外面に当接する必要はない。）。
【００８８】
また、上側被覆部２ａの中央には板材の打ち抜き成形により開口部２ａ’が設けられ、この開口部２ａ’の対向する左右対向縁夫々には天壁１ｄの上部内面を被覆する切欠き片（内側被覆部２ｃ）が設けられている。
【００８９】
この内側被覆部２ｃは、蓋体載置段部１ｃまでの天壁１ｄの内面を被覆する第一被覆部２ｃ’、天壁１ｄの蓋体載置段部１ｃを被覆する第二被覆部２ｃ''及び天壁１ｄの蓋体載置段部１ｃから下方所定位置までの内面を被覆する第三被覆部２ｃ'''で構成されている。
【００９０】
また、被覆板体２に係る上側被覆部２ａの左右上面には滑り止め部16が設けられている。
【００９１】
この滑り止め部16は、表面に突起16ａを多数形成した金属製のプレート16を上側被覆部２ａの上面に重合溶接して構成されている。
【００９２】
尚、滑り止め部16としては、摩擦抵抗の高いラバーなどの合成樹脂を吹き付けて形成したり、上側被覆部２ａの表面に窓孔を形成してブロックの表面を露出させることで形成するようにしても良いが、本実施例のように金属プレートを重合する構造は強度面に秀れる。
【００９３】
以上の構成から成る被覆板体２と切断装置５を使用した排水溝の改修方法（図12に図示した欠損箇所Ｄが生じた排水溝ブロック１に係るブロック上部１Ａの改修方法）について説明する。
【００９４】
先ず、図13に図示したように改修対象となる排水溝ブロック１から蓋体４を外して、切断装置５で溝20ａを形成する。具体的には、切断装置５に係る走行部５Ａを天壁１ｄの頂面を走行させ、この状態で切断部５Ｂの切断刃13を回転させ、排水溝ブロック１が敷設される敷設部位20にして天壁１ｄの上部外面の近傍部位（舗装部位）に所定深さ（約２ｃｍ）の溝20ａを形成する。この溝20ａは天壁１ｄの外側面に沿って形成される。
【００９５】
続いて、図14に図示したように欠損箇所Ｄを修繕用部材３で修繕する。蓋体載置段部１ｃを修繕する際には、ジャッキ装置14（回動螺子棒14Ａの回動により左右に突没移動する左右のリンク部材14Ｂ）に設けられた型枠14ａ，14ｂを用いて行う。尚、欠損箇所Ｄを修繕した後に切断装置５で溝20ａを形成するようにしても良い。
【００９６】
続いて、図15に図示したように修繕済みの天壁１ｄに接着剤15を介して被覆板体２で被覆する。この際、被覆板体２の上側被覆部２ａは天壁１ｄの頂面を被覆し、外側被覆部２ｂは溝20ａに挿入されて天壁１ｄの上部外面を被覆し、内側被覆部２ｃに係る第一被覆部２ｃ’は天壁１ｄの蓋体載置段部１ｃまでの内面、第二被覆部２ｃ''は天壁１ｄの蓋体載置段部１ｃ、第三被覆部２ｃ'''は天壁１ｄの蓋体載置段部１ｃから下方所定位置までの内面を被覆する（被覆板体２を構成する各部位を軽く叩くなどして天壁１ｄの形状に合致させる。）。その後、アスファルト等の特殊合材を外側被覆部２ｂと溝20ａとの隙間を埋めたり敷設部位20との段差を無くすように打設するなど仕上げ処理を行い、新しい蓋体４を蓋体載置段部１ｃ（被覆板体２に係る第二被覆部２ｃ''の上面）に載置して作業は終了となる。
【００９７】
尚、図示していないが本実施例に係る排水溝の改修方法に際し、改修対象となる排水溝ブロック１のブロック上部１Ａに生じた欠損箇所Ｄを、コンクリートやモルタルなどの修繕用部材３で修繕するとともに、排水溝ブロック１に係る天壁１ｄの頂面に溝を形成し、その後、その溝に被覆板体２の外側被覆部２ｂを挿入し修繕箇所を含む上部を被覆板体２で被覆するようにしても良い。また、被覆板体２に係る第二被覆部２ｃ''の上面には緩衝部材17が適宜設けられる。
【００９８】
その余は実施例１，２と同様である。
【００９９】
尚、本発明は、実施例１〜３に限られるものではなく、各構成要件の具体的構成は適宜設計し得るものである。
【符号の説明】
【０１００】
Ｄ  欠損箇所
１  排水溝ブロック
１Ａ  ブロック上部
１ａ  側壁
１ａ’  溝
１ｂ  底壁
１ｃ  蓋体載置段部
１ｄ  天壁
１ｅ  開口窓
２  被覆板体
３  修繕用部材
４  蓋体
17  緩衝部材
20  敷設部位
20ａ  溝
【図１】
2011153514.tif 000003
【図２】
2011153514.tif 000004
【図３】
2011153514.tif 000005
【図４】
2011153514.tif 000006
【図５】
2011153514.tif 000007
【図６】
2011153514.tif 000008
【図７】
2011153514.tif 000009
【図８】
2011153514.tif 000010
【図９】
2011153514.tif 000011
【図１０】
2011153514.tif 000012
【図１１】
2011153514.tif 000013
【図１２】
2011153514.tif 000014
【図１３】
2011153514.tif 000015
【図１４】
2011153514.tif 000016
【図１５】
2011153514.tif 000017